(57)【要約】 【課題】  臀部洗浄機能を有する便座が設置されていないトイレットにおいても臀部を洗浄することができる携帯式の臀部洗浄器を簡易な構成により実現する。 【解決手段】  臀部を洗浄する液体を収容するための容器６０を、細長円缶状に形成する。容器６０に収容された液体を吸い上げるためのポンプ部３０を、容器６０の上部開口部に取り付ける。ポンプ部３０により吸い上げられた液体を流通させるための流通孔と、この流通孔と連通する、吸い上げられた液体を噴霧するための噴霧孔が設けられたヘッド部２０を、ポンプ部３０に連接する。【選択図】        図１
0003150006.tif 000002
【実用新案登録請求の範囲】
【請求項１】
臀部を洗浄する液体を収容するための容器（６０）と、 
前記容器に収容された前記液体を吸い上げかつ流通管（３４）を介して流通させるためのポンプ部（３０）と、 
前記ポンプ部により吸い上げられ前記流通管を介して流通する前記液体を流通させるための流通孔（２２）および前記流通孔を介して流通する前記液体を噴霧するための径が０．５〜１ｍｍである前記流通孔と連通する噴霧孔（２１）が設けられた、前記ポンプ部に連接されたヘッド部（２０）とを
具備した臀部洗浄器 
【考案の詳細な説明】
【技術分野】
【０００１】
本考案は臀部洗浄器に関する。具体的には、臀部洗浄機能を有する便座が設置されていないトイレットにおいても臀部を洗浄することができる携帯式の臀部洗浄器を簡易な構成により提供せんとするものである。
【背景技術】
【０００２】
従来より、排便後にトイレットペーパーを必要としない臀部洗浄機能を有する便座が用いられている。すなわち、臀部洗浄のための温水噴出機能を備えた便座であり、洗浄後の臀部を乾燥するための乾燥機能を併せて備えた便座も用いられている。
【先行技術文献】
【特許文献】
【０００３】
【特許文献１】実用新案登録第３０６６９１６号公報
【考案の概要】
【考案が解決しようとする課題】
【０００４】
しかしながら、臀部洗浄機能を有する便座は、居住用の住宅や一部の宿泊施設などに設置されているだけであり、公衆用のトイレットや職場のトイレットなど、多数の者が使用するトイレットには、臀部洗浄機能を有する便座は設置されておらず、必ずしも広範には普及しているとはいえないのが実情である。
【０００５】
また、我が国では、臀部洗浄機能を有する便座を設置している宿泊施設は、少なからず存在するが、外国の宿泊施設ではほとんど設置されておらず、海外旅行の際に臀部洗浄機能を有する便座を使用することができるのは極めて稀である。
【０００６】
なお、海外旅行などの際に携帯することができる電池を用いた電動式の臀部洗浄器も提供されているが、高価格であり、しかも、電池の寿命が尽きると電池を交換しなければならないという難点がある。
【課題を解決するための手段】
【０００７】
そこで、上記課題に照らし、本考案はなされたものである。そのために、本考案では、臀部を洗浄する液体を収容するための容器を、例えば細長円缶状に形成する。容器に収容された液体を吸い上げるためのポンプ部を、容器の上部開口部に取り付ける。ポンプ部により吸い上げられた液体を流通させるための流通孔と、この流通孔と連通する、吸い上げられた液体を噴霧するための噴霧孔が設けられたヘッド部を、ポンプ部に連接する。以上のような手段を用いるようにした。
【考案の効果】
【０００８】
本考案による臀部洗浄器は携帯が可能であることから、臀部洗浄機能を有する便座を設置していない公衆用のトイレットや職場のトイレットなどにおいても、排便後に簡易に臀部を洗浄することができる。
【０００９】
また、臀部洗浄機能を有する便座を設置している宿泊施設がほとんど存在しない外国に旅行する場合であっても、排便後に臀部を洗浄することが可能となる。 
【００１０】
しかも、本考案による臀部洗浄器は、電池を用いた電動式ではなく簡易な構成の手動式であるので、安価で提供することができるとともに、電池の交換を必要としないという利点もある。したがって、本考案によりもたらされる効果は、実用上極めて大きい。
【図面の簡単な説明】
【００１１】
【図１】本考案の一実施例の構成を示す、一部を切り欠いて断面表示した側面図である。
【図２】図１に示したヘッド部，ポンプ部および取付部の構成を示す部分断面図である。
【考案を実施するための形態】
【００１２】
本考案による臀部洗浄器は、臀部を洗浄する液体を収容する容器と、容器に収容された液体を吸い上げるポンプ部と、ポンプ部により吸い上げられた液体を流通させる流通孔および流通孔と連通する、吸い上げられた液体を噴霧する噴霧孔が設けられたヘッド部とにより構成される。以下、実施例により詳しく説明する。
【実施例１】
【００１３】
本考案の一実施例の構成を、図１に示し説明する。ここで、図１は、本実施例における臀部洗浄器の構成を示す、一部を切り欠いて断面表示した側面図である。 
【００１４】
図１において、６０は、臀部を洗浄する液体（水あるいは殺菌液を添加した水）を収容するための、透明の硬質プラスチックを用いた細長円缶状の容器である。この容器６０のサイズは、とくに限定されるものではないが、携帯用としての利便性を考慮すれば、外径が３０〜５０ｍｍ、長さが７０〜１００ｍｍであるのが好ましく、収容することができる液体の量は、５０〜２００ｃｃ程度であるのが望ましい。
【００１５】
このような容器６０の上部開口側には、ヘッド部２０と連接された、容器６０内に収容された液体を吸い上げるためのポンプ部３０が、取付部４０を介して取り付けられている。取付部４０は、円筒状に形成されており、容器６０の上部に螺合することにより固定される。
【００１６】
このようにして容器６０の上部開口側に取り付けられるポンプ部３０と連接されたヘッド部２０は、ほこりなどの付着を防止するために、透明の硬質プラスチック製の円缶状のキャップ１０が取付部４０に嵌合することによりカバーされる。
【００１７】
図２は、ヘッド部２０，ポンプ部３０および取付部４０の構成の詳細を示す部分断面図である。この図２において、ヘッド部２０は、断面Ｌ字状に形成されており、その上部に、容器６０内に収容された液体を噴霧するための、径が０．５〜１ｍｍである噴霧孔２１が、水平方向に穿設されている。また、容器６０内より吸い上げられた液体が流通する流通孔２２が、噴霧孔２１に連通して垂直方向に穿設されている。このような構成のヘッド部２０は、断面凸字状に形成された取付部４０の上部の内壁に沿って摺動し得るようになっている。
【００１８】
他方、ポンプ部３０は、つぎのように構成されている。すなわち、円筒状のシリンダ３２内に、シリンダ３２の内壁に沿って摺動する断面凸字状のピストン３１が配設され、ピストン３１の中心部を貫通して、容器６０内より吸い上げられた液体が流通する流通管３４が配設されている。
【００１９】
この流通管３４の一端は、ヘッド部２０の流通孔２２の下部に嵌合し、他端は、シリンダ３２内に設けられた、孔部３７ａ，３７ｂを有する円板状の隔壁３６の中心部を貫通して、ボール３９を用いた逆止弁３８内に僅かに突き出している。ここにおける逆止弁３８には、容器６０内の液体を吸い上げるための短い吸上げ管５０が延設されている。
【００２０】
また、流通管３４の外周壁には、圧縮に作用するコイルばね３５が、ピストン３１を支えるようにして配設されている。したがって、ピストン３１は、コイルばね３５により上方に付勢されるため、円板状のストッパ３３が取付部４０に固着されて、ピストン３１が所定位置よりも上方に移動しないようになっている。なお、ストッパ３３には、シリンダ３２の上端が固着されている。
【００２１】
以上の構成により、ヘッド部２０の上面部を手の指で押し下げると、これに連動してピストン３１も押し下げられる。その後、指で押す状態を解除すると、コイルばね３５の付勢力によりピストン３１は上昇する。このとき、シリンダ３２内は低圧となるので、逆止弁３８が開いて容器６０内に収容された液体が、吸上げ管５０、逆止弁３８および隔壁３６の各孔部３７ａ，３７ｂを介してシリンダ３２内に流入する。
【００２２】
そこで、再びヘッド部２０の上面部を手の指で押し下げると、これに連動してピストン３１が押し下げら、シリンダ３２内の液体は押圧される。このとき、逆止弁３８はボール３９により閉じられるので、シリンダ３２内の液体は、容器６０内に逆流することなく、流通管３４，ヘッド部２０の流通孔２２および噴霧孔２１を介して外部に噴霧されることになる。
【００２３】
したがって、このような構成の臀部洗浄器を用いて排便後に肛門を含む臀部を洗浄するならば、臀部洗浄機能を有する便座が設置されていないトイレットであっても、トイレット・ペーパーを使用せずに簡易に臀部を洗浄することができることになる。
【００２４】
以上においては、液体を収容するための容器６０として、細長円缶状に形成されたものを例に挙げて説明した。しかし、本考案は、これに限定されるものではない。その他にも、例えば円錐台状に形成されたものである場合にも、本考案は適用され得るものである。
【００２５】
また、キャップ１０および容器６０の素材として透明の硬質プラスチックを用いる場合について説明したが、不透明の硬質プラスチックを素材として用いる場合にも、本考案は適用し得るものである。
【００２６】
さらに、ヘッド部２０をカバーするためのキャップ１０を構成要素とする場合について説明した。しかし、キャップ１０は、本考案にとっては必須の構成要件ではなく、キャップ１０を具備しない場合であっても、本考案は適用することができるものである。
【００２７】
なお、本考案による臀部洗浄器の販売形態としては、臀部洗浄器だけではなく、これと殺菌液とをセットにして販売するようにしてもよい。 
【符号の説明】
【００２８】
１０  キャップ 
２０  ヘッド部 
２１  噴霧孔 
２２  流通孔 
３０  ポンプ部 
３１  ピストン 
３２  シリンダ 
３３  ストッパ 
３４  流通管 
３５  コイルばね 
３６  隔壁 
３７ａ，３７ｂ  孔部 
３８  逆止弁 
３９  ボール 
４０  取付部 
５０  吸上げ管 
６０  容器 
【図１】
0003150006.tif 000003
【図２】
0003150006.tif 000004